(57)【要約】【課題】焦点距離が高精度に規定されたカメラ装置を提供する。【解決手段】カメラ装置１００は、レンズ部１０を備えた第１筐体１と、撮像部２０を備えた第２筐体２とが、連結部３によって連結されている。そして、撮像時に、第１筐体１から露出したレンズホルダ１２の底面と、第２筐体２から露出した透光性蓋部２４の表面とが互いに接触することにより、焦点距離が規定される。【選択図】図１
2008205741.tif 000002
【特許請求の範囲】
【請求項１】
外部の光を固体撮像素子の受光面に導くレンズと、そのレンズを内部に保持するレンズホルダとを備えたレンズ部を有する第１筐体、
固体撮像素子と、固体撮像素子の受光面に対向するとともに、固体撮像素子との間に間隔を有するように配置された透光性蓋部とを備えた撮像部を有する第２筐体、および、
第１筐体と第２筐体とを連結する連結部を備えたカメラ装置であって、
レンズホルダの底面が第１筐体から、透光性蓋部が第２筐体から、それぞれ露出しており、
撮像時に、レンズホルダの底面と透光性蓋部の表面とが互いに接触することにより、焦点距離が規定されるようになっていることを特徴とするカメラ装置。
【請求項２】
連結部は、第１筐体および第２筐体を回動またはスライド自在に連結しており、
第１筐体と第２筐体とを互いに重ね合わせた状態で撮像するようになっており、
第１筐体と第２筐体とを互いに重ね合わせたときに、焦点距離が規定されるようになっていることを特徴とする請求項１に記載のカメラ装置。
【請求項３】
撮像時に、レンズホルダの底面と透光性蓋部の表面とが接触し、レンズホルダと透光性蓋部とが嵌合するようになっていることを特徴とする請求項１または２に記載のカメラ装置。
【請求項４】
撮像部は、透光性蓋部の表面が露出するように樹脂封止する封止部を備えていることを特徴とする請求項１〜３のいずれか１項に記載のカメラ装置。
【請求項５】
請求項１〜４のいずれか１項に記載のカメラ装置を備えた電子機器。
【発明の詳細な説明】
【技術分野】
【０００１】
本発明は、カメラ機能を備えたカメラ装置およびそれを備えた携帯電話機等の電子機器に関するものである。
【背景技術】
【０００２】
カメラ機能を備えた折畳式携帯電話機においては、ＬＣＤ（liquid crystal display）が形成された表示側の筐体、および、操作ボタンが形成された筐体のいずれか一方に、レンズ部と撮像部とが一体となったカメラモジュールが組み込まれている。このように、一方の筐体にカメラモジュールが組み込まれるのは、カメラモジュールの取扱いが簡便であるためである。
【０００３】
しかし、カメラモジュールにおいて、焦点距離（レンズ部に設けられたレンズから、撮像部に設けられた固体撮像素子までの距離）は、予め設定されており、焦点距離を変えることはできない。このため、カメラモジュールを一方の筐体に組み込むと、筐体の厚さは、焦点距離よりも薄くすることはできない。従って、折畳式携帯電話機のさらなる薄型化の要望に対応することができない。
【０００４】
そこで、例えば特許文献１には、一方の筐体にレンズ部を、他方の筐体に撮像部を、それぞれ配置した折畳式携帯電話機が開示されている。図５は、特許文献１の折畳式携帯電話機の側面断面図である。
【０００５】
図５に示すように、折畳式携帯電話機２００は、撮像部２２０を有する筐体２０１と、レンズ部２１０を有する筐体２０２とを折畳可能に連結した連結部２０３とを備える。そして、撮像時には、筐体２０１と筐体２０２とを折り畳んだ状態で、撮像部２２０とレンズ部２１０とが重なり合うように、撮像部２２０およびレンズ部２１０がそれぞれ配置される。
【特許文献１】特開２００４−２６０６７６号公報（２００４年９月１６日公開）
【発明の開示】
【発明が解決しようとする課題】
【０００６】
しかしながら、図５の折畳式携帯電話機２００では、撮像部２２０とレンズ部２１０との位置合わせ（筐体２０１と筐体２０２との位置合わせ）については、何ら記載されていないため。焦点距離の精度が低いという問題がある。
【０００７】
具体的には、特許文献１では、撮像時に、レンズ部２１０と撮像部２２０とが互いに位置合わせされていることが前提となっている。つまり、撮像時には、規定された焦点距離となっていることが前提となっている。
【０００８】
ここで、特許文献１の折畳式携帯電話機２００では、レンズ部２１０が、筐体２０２内に収容される構成となっている（特許文献１の段落〔0061〕参照）。このため、折畳時に規定された焦点距離となるというためには、筐体２０２内部の適切な位置に、レンズ部２１０が配置されていなければならない。つまり、規定された焦点距離にするには、筐体２０２の設計精度が高くなければならない。このように、特許文献１の折畳式携帯電話機２００では、焦点距離の精度が、筐体２０２を形成する金型の設計精度に依存する。
【０００９】
しかしながら、筐体２０２を形成する金型の設計精度を高め、筐体２０２を高精度に形成することは非常に困難である。つまり、焦点距離を規定値にあわせることは、非常に困難である。このため、折畳式携帯電話機２００では、焦点距離にズレが生じてしまう。その結果、撮像した画像全体がぼけてしまうことにつながる。
【００１０】
本発明は、上記の問題点に鑑みてなされたものであり、その目的は、焦点距離の精度の高いカメラ装置およびそれを備えた携帯電話機を提供することにある。
【課題を解決するための手段】
【００１１】
本発明のカメラ装置は、上記の課題を解決するために、外部の光を固体撮像素子の受光面に導くレンズと、そのレンズを内部に保持するレンズホルダとを備えたレンズ部を有する第１筐体、固体撮像素子と、固体撮像素子の受光面に対向するとともに、固体撮像素子との間に間隔を有するように配置された透光性蓋部とを備えた撮像部を有する第２筐体、および、第１筐体と第２筐体とを連結する連結部を備えたカメラ装置であって、
レンズホルダの底面が第１筐体から、透光性蓋部が第２筐体から、それぞれ露出しており、
撮像時に、レンズホルダの底面と透光性蓋部の表面とが互いに接触することにより、焦点距離が規定されるようになっていることを特徴としている。
【００１２】
上記の発明によれば、レンズホルダが第１筐体から露出しており、透光性蓋部が第２筐体から露出している。そして、撮像時には、これら露出したレンズホルダの底面と透光性蓋部の表面とが接触することによって、焦点距離（光学長）が規定される。このため、上記の発明では、第１筐体および第２筐体のいずれも、焦点距離を規定するのに関与しない。つまり、特許文献１の構成のように、設計精度を高めることに限界のある筐体を形成する金型の精度が、焦点距離を規定するのに関与しない。これにより、焦点距離の精度を高めることができる。従って、焦点距離を一定にすることができ、撮像した画像全体がぼやけてしまうのを防ぐことができる。また、筐体の精度（金型の精度）に関係なく焦点距離を規定するため、カメラ装置の製品間における焦点距離の精度のバラツキを低減することができる。
【００１３】
本発明のカメラ装置では、連結部が、第１筐体および第２筐体を回動自在またはスライド自在に連結しており、第１筐体と第２筐体とを互いに重ね合わせた状態で撮像するようになっており、第１筐体と第２筐体とを互いに重ね合わせたときに、焦点距離が規定されるようになっていることが好ましい。
【００１４】
上記の発明によれば、連結部が、第１筐体および第２筐体を、回動自在またはスライド自在に連結している。つまり、この構成のカメラ装置は、折畳み式カメラ装置，回転式カメラ装置，またはスライド式カメラ装置である。そして、これらのカメラ装置が、撮像時に、第１筐体と第２筐体とが互いに重なり合い、重なり合ったときに焦点距離が規定される。これにより、撮像時に高精度に焦点距離を規定することが可能となる。
【００１５】
また、このようなカメラ装置では、非撮像時には、第１筐体と第２筐体とを互いに重ね合わせた状態とせず、第１筐体と第２筐体とが同一平面上に配置されるようにすることができる。これにより、撮像しないときには、カメラ装置を薄い状態で保管することができる。
【００１６】
なお、『第１筐体と第２筐体とが互いに重なり合った状態』とは、第１筐体と第２筐体とが重なり合い、レンズホルダの底面と透光性蓋部の表面とが互いに面接触した状態である。
【００１７】
また、本発明の一実施形態である折畳式のカメラ装置の場合、上記の構成を、連結部は、第１筐体および第２筐体を回動自在に連結しており、第１筐体と第２筐体とを折り畳んで閉状態として撮像するようになっており、上記閉状態としたときに、焦点距離が規定されるようになっていると表現することができる。
【００１８】
そして、このような折畳式のカメラ装置では、第１筐体と第２筐体とを折り畳んで閉状態として撮像する。これにより、撮像時に高精度に焦点距離を規定することが可能となる。従って、焦点距離の精度の高い折畳式のカメラ装置を提供することができる。なお、『閉状態』とは、第１筐体と第２筐体とを折り畳み、レンズホルダの底面と透光性蓋部の表面とが互いに面接触した状態である。
本発明のカメラ装置では、撮像時に、レンズホルダの底面と透光性蓋部の表面とが接触し、レンズホルダと透光性蓋部とが嵌合するようになっていることが好ましい。
【００１９】
上記の発明によれば、撮像時に、レンズホルダの底面と透光性蓋部の表面との接触に加えて、レンズホルダと透光性蓋部とが嵌合される構成となっている。これにより、焦点距離に加えて、レンズの光軸と固体撮像素子の光軸とを高精度に一致させることができる。
【００２０】
本発明のカメラ装置では、撮像部は、透光性蓋部の表面が露出するように樹脂封止する封止部を備えている構成であってもよい。
【００２１】
上記の発明によれば、封止部を備えているため、撮像部が、ＣＳＰ構造となる。これにより、撮像部をより薄型化することができるため、超小型化および超薄型化のカメラ装置を提供することができる。
【００２２】
本発明の電子機器は、前記いずれかのカメラ装置を備えていることを特徴としている。
【００２３】
本発明の電子機器は、本発明のカメラ装置を備えているため、その電子機器にカメラ機能を持たせることができる。カメラ装置は、薄型化を実現しているため、電子機器への適用が容易である。つまり、電子機器への組み込み自由度が高い。従って、小型化および多機能化を満たし、ユーザのニーズに応えることができる。
【００２４】
なお、本発明の電子機器としては、本発明のカメラ装置によってカメラ機能を有するものであれば、特に限定されるものではない。例えば、電子機器としては、携帯電話機、携帯端末、携帯辞書、携帯ゲーム器などを挙げることができる。
【発明の効果】
【００２５】
本発明のカメラ装置は、以上のように、レンズホルダの底面が第１筐体から、透光性蓋部が第２筐体から、それぞれ露出しており、撮像時に、レンズホルダの底面と透光性蓋部の表面とが互いに接触することにより、焦点距離が規定されるようになっている構成である。このため、第１筐体および第２筐体のいずれも、焦点距離を規定するのに関与しない。これにより、焦点距離の精度の高いカメラ装置を提供することができる。
【発明を実施するための最良の形態】
【００２６】
以下、本発明の実施の一形態について、図面に基づいて説明する。
【００２７】
図１は、本発明の一実施形態であるカメラ装置１００の側面の断面図である。カメラ装置１００は、レンズ部１０を備えた第１筐体１、撮像部２０を備えた第２筐体２、および第１筐体１と第２筐体２とを連結する連結部３を備えている。カメラ装置１００は、連結部３を回転軸として、第１筐体１および第２筐体２を折り畳んだときに、カメラとして機能する構成である。
【００２８】
第１筐体１は、第１筐体１の中央部にレンズ部１０を備えている。レンズ部１０は、被写体像を形成する撮影光学系（光学構造体）である。レンズ部１０は、撮像部２０に結像するためのレンズ１１と、レンズ１１を保持するレンズホルダ１２から構成される。
【００２９】
レンズホルダ１２は、内部にレンズ１１を保持（支持）するための枠体であり、レンズ１１はレンズホルダ１２の中央上方に配置される。また、レンズホルダ１２は、レンズ１１の光軸とレンズホルダ１２の軸心とが一致するように、レンズ１１を保持する。レンズホルダ１２は、レンズ部１０を撮像部２０上の適切な位置に配置するための役割も果たす。
【００３０】
なお、レンズホルダ１２は、中空（筒状）の部材であり、その内部にレンズ１１が保持される。このため、レンズ１１から固体撮像素子２２（後述）までの光路は確保される。また、レンズホルダ１２の特徴的構成については後述する。
【００３１】
一方、第２筐体２は、筐体ベース基板２１と、筐体ベース基板２１上に設けられた撮像部２０を備えている。撮像部２０は、レンズ部１０によって形成される被写体像を、電気信号に変換する撮像部２０を備えている。つまり、撮像部２０は、レンズ部１０から入射された入射光を光電変換するセンサデバイスである。
【００３２】
撮像部２０は、配線基板２２上に、固体撮像素子２３，接着部２４，および透光性蓋部２５を備え、これらがこの順に配線基板２２上に積層された構造である。配線基板２２と固体撮像素子２３とは、ワイヤ２６によって、互いに電気的に接続されている。撮像部２０は、これら配線基板２２上に形成された各部材が、モールド樹脂からなる封止部２７によって一体化して封止された構成となっている。つまり、撮像部２０は、いわゆるＣＳＰ（Chip Scale Package）構造となっている。これにより、第２筐体２の厚さを、ＣＳＰ構造でない構成（例えば特許文献１の構成）よりも薄くすることができる。これは、ＣＳＰ構造の場合、モールド樹脂により強度をだせるため、配線基板２２を薄くできるからである。一方、ＣＳＰ構造でない構成の場合に、配線基板２２を薄くしてしまうと、製造過程で配線基板２２が割れたり、カメラ装置１００を製品として出荷した後、不具合が生じたりする。このため、信頼性の低下につながる。例えば、ＣＳＰ構造とすれば配線基板２２の厚さを０．１３５ｍｍ程度まで薄くできる。なお、ＣＳＰ構造でない場合、配線基板２２の厚さを０．５ｍｍ程度必要である。また、ＣＳＰ構造であれば、厚さのバラツキが小さいため、第２筐体２の設計のマージンが増える。これにより、第２筐体２の製造コストを削減することができる。
【００３３】
配線基板２２は、パターニングされた配線を有する基板であり、例えば、プリント基板，またはセラミック基板などである。
【００３４】
固体撮像素子２３は、例えば、ＣＣＤまたはＣＭＯＳセンサーＩＣである。固体撮像素子２３の表面（上面）には、複数の画素がマトリクス状に配置された受光面が形成されている。この受光面は、レンズ部１０から入射される光を透過する領域（光透過領域）であり、画素エリアとも言い換えられる。撮像部２０における撮像面は、この受光面（画素エリア）である。
【００３５】
固体撮像素子２３は、この受光面（画素エリア）に結像された被写体像を電気信号に変換して、アナログの画像信号として出力する。つまり、この受光面で、光電変換が行われる。固体撮像素子２３の動作は、ＤＳＰ（図示せず）で制御され、固体撮像素子２３で生成された画像信号は、ＤＳＰで処理される。
【００３６】
固体撮像素子２３の受光面の周囲には、接着部２４が形成されており、その接着部２４によって、固体撮像素子２３上に、透光性蓋部２５が接着される。これにより、固体撮像素子２３の受光面と、透光性蓋部２５とが対向して配置される。つまり、固体撮像素子２３の受光面は、透光性蓋部２５によって覆われる。
【００３７】
接着部２４は、固体撮像素子２３の受光面の外周部を包囲するように形成されている。これにより、固体撮像素子２３の受光面と対向して、透光性蓋部２５が接着部２４によって接着される。また、このとき、固体撮像素子２３の受光面と透光性蓋部２５との間には、空間（間隔）Ｓが形成されるように、接着される。このように空間Ｓを密閉すれば、受光面への湿気の進入、および、受光面への塵埃の進入および付着などを防止することができる。従って、受光面での不良の発生を防ぐことができる。
【００３８】
接着部２４は、例えば、固体撮像素子２３上にシート状の接着剤を貼着した後、フォトリソグラフィ技術で露光及び現像等の処理を施すパターンニングによって形成される。フォトリソグラフィ技術を用いれば、接着部２４のパターンニングは高精度に行うことができ、また、シート状の接着剤を用いるため、接着部２４の厚さを均一にすることができる。これにより、透光性蓋部２５を固体撮像素子２３の受光面に対して高精度に接着することができる。
【００３９】
透光性蓋部２５は、ガラスなどの透光性部材から構成されている。本実施形態では、透光性蓋部２５の表面に、赤外線遮断膜（ＩＲカットフィルタ）が形成されている。これにより、固体撮像素子２３に赤外線が入射するのを防ぐことができる。
【００４０】
封止部２７は、配線基板２２上に積層された各部材を、モールド樹脂（封止樹脂）によって封止し、それら各部材を固定するものである。封止部２７は、カメラ装置１００の光透過領域を避けるように、配線基板２２上に積層された各部材を封止する。このため、図５に示すように、撮像部２０における透光性蓋部２５の表面（上面）は、封止部２７に封止されず、露出している。これにより、透光性蓋部２５を経て、固体撮像素子２３の受光面まで光は透過する。
【００４１】
なお、撮像部２０は、図示しない、ＤＳＰ（digital signal processor）を備えており、固体撮像素子２３の動作を制御し、固体撮像素子２３から出力される信号を処理するようになっている。また、配線基板２２上には、ＤＳＰの他に、プログラムに従って各種演算処理を行うＣＰＵ，そのプログラムを格納するＲＯＭ，各処理過程のデータ等を格納するＲＡＭなどの電子部品も備え、これらの電子部品によって、カメラ装置１００全体を制御する構成とすることもできる。
【００４２】
また、カメラ装置１００には、液晶表示部を設け、撮影する画像を見ながら、撮影できる構成としてもよい。なお、液晶表示部は、透光性蓋部２４とは逆の面に設けることが好ましい。
【００４３】
次に、カメラ装置１００を用いた撮影動作について説明する。前述のように、カメラ装置１００は、レンズ部１０および撮像部２０が、別々の筐体（第１筐体１および第２筐体２）に配置されている。また、第１筐体１および第２筐体２は、連結部３によって回動自在に連結されている。このため、カメラ装置１００は、連結部３を回転軸として、第１筐体１と第２筐体とを、回動させることができる。言い換えれば、カメラ装置１００は、開閉自在の構成である。
【００４４】
そして、カメラ装置１００は、撮像しないときには第１筐体１および第２筐体２を広げて『開状態』とする一方、撮像時には第１筐体１および第２筐体２を折り畳んで『閉状態』とする。図２（ａ）は、カメラ装置１００を開状態としたときの上面図であり、図２（ｂ）は、同じくカメラ装置１００を開状態としたときの側面図である。図３は、カメラ装置１００を閉状態とするときの側面図である。
【００４５】
図２（ａ）および図２（ｂ）に示すように、非撮像時（持ち運びするとき、収納するときなど）には、カメラ装置１００を『開状態』とする。本実施形態のカメラ装置１００において、『開状態』とは、第１筐体１と第２筐体２とが、同一平面上にある状態である。これにより、撮像しないときには、カメラ装置１００を薄い状態で保管することができる。このため、財布や定期券入れにもカメラ装置１００を入れることができ、便利である。
【００４６】
一方、図３に示すように、撮像時には、第１筐体１および第２筐体２を折り畳んで、カメラ装置１００を、『閉状態』とする。本実施形態のカメラ装置１００において、『閉状態』とは、第１筐体１と第２筐体２とが互いに接触した状態である。より詳細には、第１筐体１の裏面を、第２筐体２と接触するレンズホルダ１２の底面側の面とし、第２筐体２の表面を、透光性蓋部２５が配置された側の面とすると、『閉状態』とは、第１筐体１の裏面（レンズ部１０の底面）と、第２筐体２の表面（透光性蓋部２４の表面）とが互いに接した状態である。
【００４７】
ここで、カメラ装置１００では、閉状態としたときの焦点距離（レンズ１１の中心から固体撮像素子２４の受光面までの距離）が固定されている。すなわち、図４（ａ）のように、カメラ装置１００は、撮像時に、レンズ部１０から撮像部２０までの距離（焦点距離）が高精度に規定されている。このとき、レンズ部１０と撮像部２０とは、互いに平行である。さらに、図４（ａ）では、レンズ部１０の光軸と撮像部２０の光軸とが実質的に一致するようにもなっている。
【００４８】
カメラ装置１００では、開閉動作を繰り返すことによって、焦点距離が変動したり、レンズ部１０の光軸と撮像部２０の光軸とがズレたりすると、撮像した画像に影響を及ぼす。図４（ｂ）および図４（ｃ）は、この影響を説明するための図であり、図４（ｂ）はレンズ部１０と撮像部２０に面方向の位置ズレ（光軸のズレ）が生じた図１のカメラ装置、図４（ｃ）は焦点距離が規定値から外れた図１のカメラ装置の、側面断面図および上面図である。
【００４９】
具体的には、図４（ｂ）のように、レンズ部１０と撮像部２０との間に、面方向（水平方向，ｘｙ方向）の位置ズレが生じた場合、位置ズレが生じていない通常の場合（図４（ａ））と同様に、撮像時に、レンズ部１０と撮像部２０とが互いに平行となる。このため、位置ズレによって、焦点距離は変わらない。しかし、レンズ部１０の光軸と撮像部２０の光軸とが、ズレている。その結果、撮像した画像が中心に来なかったり、その画像の片側が暗くなったりぼやけたりする。
【００５０】
一方、光軸方向（高さ方向，ｚ方向）のズレが生じた場合、撮像時に、レンズ部１０と撮像部２０とが互いに平行とならなくなる。このため、レンズ１０の中心から撮像部２０までの距離（焦点距離）が変動する。その結果、撮像した画像全体が、ぼやけてしまう。
【００５１】
そこで、カメラ装置１００は、撮像時（閉状態としたとき）に、焦点距離の精度を高めるために、以下のような特徴的構成を備えている。すなわち、カメラ装置１００では、第１筐体１の裏面からレンズホルダ１２の底面が露出しており、第２筐体２の表面から透光性蓋部２４が露出している。また、カメラ装置１００では、第１筐体１の裏面と露出したレンズホルダ１２の底面とが、第２筐体２の表面と露出した透光性蓋部２４とが、それぞれ同一平面上にある。そして、撮像時に、レンズホルダ１２の底面と透光性蓋部２４の表面とが互いに接触することにより、焦点距離が規定されるようになっている。このため、カメラ装置１００では、第１筐体１および第２筐体２のいずれも、焦点距離を規定するのに関与しない。つまり、設計精度を高めることに限界のある筐体を形成する金型の精度が、焦点距離を規定するのに関与しない。これにより、図４（ａ）のように、撮影時に焦点距離が規定値から外れず、レンズ部１０の光軸と撮像部２０の光軸とを一致させることができる。従って、カメラ装置１００における焦点距離の精度を高くすることができる。つまり、カメラ装置１００の焦点距離を一定にすることができ、撮像した画像全体がぼやけてしまうのを防ぐことができる。
【００５２】
また、カメラ装置１００では、閉状態としたとき（撮像時）に、レンズホルダ１２の底面と透光性蓋部２４（または封止部２７）の表面とが接触し、レンズホルダ１２と透光性蓋部２４（または封止部２７）とが、嵌合するようになっていることが好ましい。これにより、閉状態としたときに、レンズホルダ１２と透光性蓋部２４との光軸が確実に一致する。このため、閉状態としたときに、第１筐体１および第２筐体２の面方向に生じる位置ズレを防ぐことができる。従って、焦点距離およびレンズ１０の光軸と固体撮像素子２４の光軸とを高精度に一致させることができる。
【００５３】
具体的には、図５（ａ）および図５（ｂ）は、レンズホルダ１２と透光性蓋部２４とが、嵌合するカメラ装置１１０の側面の断面図である。図５（ａ）はカメラ装置１１０の閉状態であり、図５（ｂ）はカメラ装置１１０の閉状態を解除した状態である。
【００５４】
前述したカメラ装置１００（図１参照）では、レンズホルダ１２の底部と第１筐体１の底面とが面一であり、透光性蓋部２５，封止部２７，および第２筐体２の表面が面一となっていた。
【００５５】
これに対し、カメラ装置１１０では、図５（ａ）の破線部の領域で、焦点距離を確実に規定するとともに、レンズ部３０の光軸と撮像部４０の光軸とを確実に一致させる。具体的には、レンズホルダ１２の底部が、第１筐体１から第２筐体２の方へ突出している。また、透光性蓋部２５および封止部２７の一部も、第２筐体２から第１筐体１の方へ突出している。透光性蓋部２５は、封止部２７よりも第１筐体１の方へ突出している。レンズホルダ１２の突出部分の内径は、レンズ１１を保持する部分の内径よりも大きくなっている。これにより、図５（ｂ）のように、閉状態としたときに、レンズホルダ１２の突出部が、透光性蓋部２５の外周部にはめ込まれる。その結果、図５（ｂ）のように閉状態としたときに、レンズホルダ１２と透光性蓋部２４との光軸が確実に一致する。このため、閉状態としたときに、第１筐体１および第２筐体２の面方向に生じる位置ズレを防ぐことができる。従って、焦点距離およびレンズ１０の光軸と固体撮像素子２４の光軸とを高精度に一致させることができる。
【００５６】
このように、カメラ装置１１０では、レンズホルダ１２と透光性蓋部２５とを嵌合し、位置ズレを防止したり、光軸を一致させる構成となっている。しかし、このような位置ズレの防止および光軸を一致させる構成（例えば、突起とその突起に対応する開口）を、第１筐体１および第２筐体２に設ける構成としても、同様の効果が得られる。
【００５７】
なお。第２筐体２の第１筐体１との対向面上には、緩衝部材（クッション）２８が設けられている。緩衝部材２８は、閉状態としたときに、第１筐体１および第２筐体２に接触するようになっている。これにより、閉状態としたときに、レンズ部３０および撮像部４０に加わる衝撃を緩和することができる。
【００５８】
緩衝部材２８は、遮光性を有する材料から構成することが好ましい。これにより、緩衝部材２８によって、カメラ装置１１０の外部から固体撮像素子２３に入り込む、撮像に不要な光を、遮ることができる。
【００５９】
以上のように、カメラ装置１００は、折り畳み時（撮像時）の位置合わせを、第１筐体１および第２筐体２から露出した、レンズ部１０および撮像部２０によって行う構成である。従って、第１筐体１および第２筐体２の設計精度に関係なく、焦点距離が規定されるため、高精度に焦点距離をすることが可能となる。
【００６０】
なお、本実施形態では、連結部３によって第１筐体１および第２筐体２が回動する、折畳み式のカメラ装置１００について説明した。しかし、カメラ装置の機種（型）は、これに限定されるものではなく、連結部３が、第１筐体１および第２筐体２を回動自在またはスライド自在に連結しており、第１筐体１と第２筐体２とを互いに重ね合わせた状態で撮像するようになっており、第１筐体１と第２筐体２とを互いに重ね合わせたときに、焦点距離が規定されるようになっていればよい。つまり、折畳み式カメラ装置以外にも、回転式カメラ装置，またはスライド式カメラ装置であってもよい。これらのカメラ装置でも、撮像時に、第１筐体１と第２筐体２とが互いに重なり合い、重なり合ったときに焦点距離が規定される。これにより、撮像時に高精度に焦点距離を規定することが可能となる。
【００６１】
また、このようなカメラ装置では、非撮像時には、第１筐体１と第２筐体２とを互いに重ね合わせた状態とせず、第１筐体１と第２筐体２とが同一平面上に配置されるようにすることができる。これにより、撮像しないときには、カメラ装置を薄い状態で保管することができる。
【００６２】
なお、『第１筐体１と第２筐体２とが互いに重なり合った状態』とは、第１筐体１と第２筐体２とが重なり合い、レンズホルダ１２の底面と透光性蓋部２５の表面とが互いに面接触した状態である。
【００６３】
また、スライド式のカメラ装置の場合、前述した閉状態のように、レンズ部１０と撮像部２０とが平行を維持して、第１筐体１および第２筐体２を平行移動可能に、連結部３により連結した構成とすればよい。
【００６４】
また、本実施形態では、レンズ部１０と撮像部２０とを１組備えたカメラ装置について説明したが、レンズ部１０と撮像部２０とを複数組２セット以上有するカメラ装置（ツインカメラ装置等）であってもよい。
【００６５】
また、本実施形態では、カメラ機能のみを備えたカメラ装置について説明したが、カメラ装置１００は、電子機器（例えば、携帯電話機，携帯辞書，携帯ゲーム機、携帯端末など）に適用することによって、その電子機器にカメラ機能を持たせることができる。カメラ装置１００は、薄型化を実現しているため、電子機器への適用が容易である。つまり、電子機器への組み込み自由度が高い。従って、小型化および多機能化を満たし、ユーザのニーズに応えることができる。
【００６６】
本発明は上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。
【産業上の利用可能性】
【００６７】
本発明のカメラ装置は、携帯電話機，携帯辞書，携帯ゲーム機，携帯端末などの電子機器適用し、カメラ機能を付与することができる。
【図面の簡単な説明】
【００６８】
【図１】本発明の一実施形態にかかるカメラ装置の側面の断面図である。
【図２】図２（ａ）は図１のカメラ装置を開状態としたときの上面図であり、図２（ｂ）は同じく開状態としたときの側面図である。
【図３】図１のカメラ装置を閉状態としたときの側面図である。
【図４】図４（ａ）は位置ズレが生じていない図１のカメラ装置、図４（ｂ）はレンズ部と撮像部に面方向の位置ズレが生じた図１のカメラ装置、図４（ｃ）は焦点距離が規定値から外れた図１のカメラ装置の、側面断面図および上面図である。
【図５】本発明の別の実施形態にかかるカメラ装置の側面の断面図であり、図５（ａ）は閉状態を示し、図５（ｂ）は閉状態を解除した状態を示す図である。
【図６】特許文献１に記載のカメラ装置の側面の断面図である。
【符号の説明】
【００６９】
１  第１筐体
２  第２筐体
３  連結部
１０  レンズ部
１１  レンズ
１２  レンズホルダ
２０  撮像部
２１  筐体ベース基板
２２  配線基板
２３  固体撮像素子
２４  接着部
２５  透光性蓋部
２６  ワイヤ
２７  封止部
３０  レンズ部
４０  撮像部
１００  カメラ装置
１１０  カメラ装置
【図１】
2008205741.tif 000003
【図２】
2008205741.tif 000004
【図３】
2008205741.tif 000005
【図４】
2008205741.tif 000006
【図５】
2008205741.tif 000007
【図６】
2008205741.tif 000008
【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
外部の光を固体撮像素子の受光面に導くレンズと、そのレンズを内部に保持するレンズホルダとを備えたレンズ部を有する第１筐体、
固体撮像素子と、固体撮像素子の受光面に対向するとともに、固体撮像素子との間に間隔を有するように配置された透光性蓋部とを備えた撮像部を有する第２筐体、および、
第１筐体と第２筐体とを連結する連結部を備えたカメラ装置であって、
レンズホルダの底面が第１筐体から、透光性蓋部が第２筐体から、それぞれ露出しており、
撮像時に、レンズホルダの底面と透光性蓋部の表面とが互いに接触することにより、焦点距離が規定されるようになっており、
第２筺体は、第１筺体との対向面上に緩衝部材を備え、
撮像時に、緩衝部材と第１筺体とが互いに接触するようになっており、
緩衝部材が、遮光性を有する材料から構成されていることを特徴とするカメラ装置。
【請求項２】
連結部は、第１筐体および第２筐体を回動またはスライド自在に連結しており、
第１筐体と第２筐体とを互いに重ね合わせた状態で撮像するようになっており、
第１筐体と第２筐体とを互いに重ね合わせたときに、焦点距離が規定されるようになっていることを特徴とする請求項１に記載のカメラ装置。
【請求項３】
撮像時に、レンズホルダの底面と透光性蓋部の表面とが接触し、レンズホルダと透光性蓋部とが嵌合するようになっていることを特徴とする請求項１または２に記載のカメラ装置。
【請求項４】
撮像部は、透光性蓋部の表面が露出するように樹脂封止する封止部を備えていることを特徴とする請求項１〜３のいずれか１項に記載のカメラ装置。
【請求項５】
請求項１〜４のいずれか１項に記載のカメラ装置を備えた電子機器。